(57)【要約】【課題】ピン部材を、フランジ体の圧入穴に、より精度よく圧入することのできる偏心揺動型の減速装置を得る。【解決手段】外歯歯車２０が揺動しながら内歯歯車２２に内接噛合する偏心揺動型の減速装置Ｇ１であって、外歯歯車の軸心からオフセットした位置に形成された貫通孔４４と、該貫通孔を貫通している内ピン（ピン部材）４６と、該内ピンが圧入されているフランジ体５２と、を備え、内ピンは、フランジ体の圧入穴５２Ａに圧入される圧入部４６Ａと、該圧入部の先端に形成された面取り部４６Ｂとを有し、該面取り部の一部も、フランジ体の圧入穴に対して締め代（δ１、δ２）を有し、該面取り部の粗さが、圧入穴の粗さよりも小さい。【選択図】図１
2015197157.tif 000002
【特許請求の範囲】
【請求項１】
外歯歯車が揺動しながら内歯歯車に内接噛合する偏心揺動型の減速装置であって、前記外歯歯車の軸心からオフセットした位置に形成された貫通孔と、該貫通孔を貫通しているピン部材と、該ピン部材が圧入されているフランジ体と、を備え、
前記ピン部材は、前記フランジ体の圧入穴に圧入される圧入部と、該圧入部の先端に形成された面取り部とを有し、
該面取り部の一部も、前記フランジ体の圧入穴に対して締め代を有し、
該面取り部の粗さが、前記圧入穴の粗さよりも小さい
ことを特徴とする偏心揺動型の減速装置。
【請求項２】
請求項１において、
前記圧入部の粗さが、前記面取り部の粗さよりも小さい
ことを特徴とする偏心揺動型の減速装置。
【請求項３】
請求項１または２において、
前記圧入部には、方向性のある加工痕が形成される
ことを特徴とする偏心揺動型の減速装置。
【請求項４】
請求項１〜３のいずれかにおいて、
前記面取り部には、方向性のある加工痕が形成されない
ことを特徴とする偏心揺動型の減速装置。
【請求項５】
外歯歯車が揺動しながら内歯歯車に内接噛合する偏心揺動型の減速装置であって、前記外歯歯車の軸心からオフセットした位置に形成された貫通孔と、該貫通孔を貫通しているピン部材と、該ピン部材が圧入されているフランジ体と、を備え、
前記ピン部材は、前記フランジ体の圧入穴に圧入される圧入部と、該圧入部の先端に形成された面取り部とを有し、
該面取り部の一部も、前記フランジ体の圧入穴に対して締め代を有し、
前記圧入部には、方向性のある加工痕が形成され、
前記面取り部には、方向性のある加工痕が形成されない
ことを特徴とする偏心揺動型の減速装置。
【請求項６】
外歯歯車が揺動しながら内歯歯車に内接噛合する偏心揺動型の減速装置であって、前記外歯歯車の軸心からオフセットした位置に形成された貫通孔と、該貫通孔を貫通しているピン部材と、該ピン部材が圧入されているフランジ体と、を備える偏心揺動型の減速装置における前記ピン部材の製造方法において、
前記ピン部材は、前記フランジ体の圧入穴に圧入される圧入部と、該圧入部の先端に形成された面取り部とを有し、
前記面取り部と前記圧入部の両方に、遊離砥粒加工を施す遊離砥粒加工工程と、
該遊離砥粒加工工程の後に、前記圧入部に研削加工を施す研削加工工程と、
を含むことを特徴とする偏心揺動型の減速装置のピン部材の製造方法。
【請求項７】
請求項６において、
前記遊離砥粒加工が、バレル研磨加工である
ことを特徴とする偏心揺動型の減速装置のピン部材の製造方法。
【発明の詳細な説明】
【技術分野】
【０００１】
本発明は、偏心揺動型の減速装置、およびそのピン部材の製造方法に関する。
【背景技術】
【０００２】
特許文献１に、偏心揺動型の減速装置が開示されている。この減速装置では、外歯歯車が揺動しながら内歯歯車に内接噛合している。外歯歯車には、該外歯歯車の軸心からオフセットした位置に貫通孔が形成されている。貫通孔には、ピン部材が貫通している。ピン部材は、出力軸と一体的に回転するフランジ体の圧入穴に圧入されている。
【０００３】
外歯歯車が揺動しながら内歯歯車に内接噛合すると、外歯歯車が内歯歯車に対して回転する。この減速装置では、この外歯歯車の回転を、前記外歯歯車を貫通しているピン部材を介してフランジ体に伝達することにより、入力軸の回転を減速してフランジ体と一体化している出力軸から出力している。
【先行技術文献】
【特許文献】
【０００４】
【特許文献１】特開２０１３−１９４８６９号公報
【発明の概要】
【発明が解決しようとする課題】
【０００５】
しかしながら、このようにフランジ体にピン部材が圧入される構成を有する偏心揺動型の減速装置にあっては、該ピン部材をフランジ体の圧入穴に圧入する際に、ときに精度よく圧入することができないときがあるという問題があった。
【０００６】
本発明は、このような問題を解消するためになされたものであって、ピン部材を、フランジ体の圧入穴に、より精度よく圧入することのできる偏心揺動型の減速装置を提供することをその課題としている。
【課題を解決するための手段】
【０００７】
本発明は、外歯歯車が揺動しながら内歯歯車に内接噛合する偏心揺動型の減速装置であって、前記外歯歯車の軸心からオフセットした位置に形成された貫通孔と、該貫通孔を貫通しているピン部材と、該ピン部材が圧入されているフランジ体と、を備え、前記ピン部材は、前記フランジ体の圧入穴に圧入される圧入部と、該圧入部の先端に形成された面取り部とを有し、該面取り部の一部も、前記フランジ体の圧入穴に対して締め代を有し、該面取り部の粗さが、前記圧入穴の粗さよりも小さい構成とすることにより、上記課題を解決したものである。
【０００８】
また、本発明は、外歯歯車が揺動しながら内歯歯車に内接噛合する偏心揺動型の減速装置であって、前記外歯歯車の軸心からオフセットした位置に形成された貫通孔と、該貫通孔を貫通しているピン部材と、該ピン部材が圧入されているフランジ体と、を備え、前記ピン部材は、前記フランジ体の圧入穴に圧入される圧入部と、該圧入部の先端に形成された面取り部とを有し、該面取り部の一部も、前記フランジ体の圧入穴に対して締め代を有し、前記圧入部には、方向性のある加工痕が形成され、前記面取り部には、方向性のある加工痕が形成されない構成とすることにより、同じく上記課題を解決したものである。
【０００９】
また、本発明は、外歯歯車が揺動しながら内歯歯車に内接噛合する偏心揺動型の減速装置であって、前記外歯歯車の軸心からオフセットした位置に形成された貫通孔と、該貫通孔を貫通しているピン部材と、該ピン部材が圧入されているフランジ体と、を備える偏心揺動型の減速装置における前記ピン部材の製造方法において、前記ピン部材は、前記フランジ体の圧入穴に圧入される圧入部と、該圧入部の先端に形成された面取り部とを有し、前記面取り部と前記圧入部の両方に、遊離砥粒加工を施す遊離砥粒加工工程と、該遊離砥粒加工工程の後に、前記圧入部に研削加工を施す研削加工工程と、を含むことにより、同じく上記課題を解決したものである。
【００１０】
本発明は、発明者らが、ピン部材がフランジ体の圧入穴に圧入される際のメカニズムを詳細に吟味・試験した結果、得られた知見に基づいてなされた。
【００１１】
本発明に係るピン部材の面取り部は、その粗さが、圧入穴の粗さよりも小さく形成される。あるいは、本発明に係るピン部材は、圧入部には、方向性のある加工痕が形成されるが、面取り部には、方向性のある加工痕が形成されない。
【００１２】
これにより、ピン部材が圧入された際に、該ピン部材の軸心が圧入穴の軸心に対して傾いてしまったりする不具合を、より低減することができる。
【００１３】
なお、本発明において、「粗さ」とは、２００１年版「ＪＩＳ  Ｂ０６０１」における「Ｒｚ」、すなわち、「最大高さ（粗さ曲線における平均線から最も高い山頂から最も低い谷底までの距離）」を指している。なお、この２００１年版「ＪＩＳ  Ｂ０６０１」における「最大高さＲｚ」は、１９８２年版「ＪＩＳ  Ｂ０６０１」では「Ｒｍａｘ」、１９９４年版「ＪＩＳ  Ｂ０６０１」では「Ｒｙ」で標記（定義）されていたパラメータと同一である。また、「粗さが大きい」とは、この最大高さＲｚの値が大きいこと、「粗さが小さい」とは、該最大高さＲｚの値が小さいこと、をそれぞれ指している。
【発明の効果】
【００１４】
本発明によれば、ピン部材を、フランジ体の圧入穴に、より精度よく圧入することのできる偏心揺動型の減速装置を得ることができる。
【図面の簡単な説明】
【００１５】
【図１】本発明の実施形態の一例に係る偏心揺動型の減速装置の全体断面図
【図２】図１の矢視ＩＩ−ＩＩ線に沿う断面図
【図３】上記偏心揺動型の減速装置の製造方法の要部工程図
【図４】従来のフランジ体の圧入穴へのピン部材の圧入例を示す模式図
【発明を実施するための形態】
【００１６】
以下、図面に基づいて本発明の実施形態の一例を詳細に説明する。図１は、本発明の実施形態の一例に係る偏心揺動型の減速装置を示す全体断面図、図２は、図１の矢視ＩＩ−ＩＩ線に沿う断面図である。
【００１７】
この偏心揺動型の減速装置Ｇ１は、外歯歯車２０と内歯歯車２２を有し、外歯歯車２０が揺動しながら内歯歯車２２に内接噛合している。減速装置Ｇ１は、図示せぬモータからの動力を受ける入力軸２６を備える。入力軸２６にはキー２８を介して２つの偏心体３０が設けられている。各偏心体３０の外周は、入力軸２６の軸心Ｃ２６に対して所定の偏心量だけ偏心している。２つの偏心体３０の偏心位相差は、１８０度である（互いに離反する方向に偏心している）。
【００１８】
各偏心体３０の外周には、ころ３２を介して外歯歯車２０が組み込まれている。外歯歯車２０を２枚組み込んでいるのは、伝達容量の確保、および外歯歯車２０が偏心揺動した際の減速装置Ｇ１全体の動的バランスをより向上させるためである。外歯歯車２０は、揺動しながら内歯歯車２２に内接噛合している。
【００１９】
内歯歯車２２は、内歯歯車本体３８および内歯を構成する外ピン４０を有している。内歯歯車本体３８は、円弧状の溝部３６を有している。外ピン４０は、該円弧状の溝部３６に回転自在に組み込まれている。内歯歯車本体３８は、ケーシング４２と一体化されている。内歯歯車２２の内歯の数（外ピン４０の本数）は、外歯歯車２０の外歯の数よりも僅かだけ（この例では１だけ）多い。
【００２０】
一方、外歯歯車２０には、該外歯歯車２０の軸心からオフセットした位置に貫通孔４４が周方向において複数形成されている。各貫通孔４４を内ピン（ピン部材）４６が貫通している。内ピン４６の外周には摺動向上部材として内ローラ４８が外嵌している（内ローラ４８はなくてもよい）。内ローラ４８と貫通孔４４との間には、偏心体３０の偏心量の２倍に相当する隙間が確保されている。
【００２１】
内ピン４６は、出力軸５０と一体化されたフランジ体５２の圧入穴（被圧入面）５２Ａに圧入されている。内ピン４６とフランジ体５２の圧入構造については、後に詳述する。
【００２２】
本発明の理解を容易にするために、ここで、偏心揺動型の減速装置Ｇ１の動力伝達系の作用を簡単に説明しておく。
【００２３】
入力軸２６が回転すると該入力軸２６と一体化されている偏心体３０が回転し、ころ３２を介して外歯歯車２０が揺動回転する。この結果、内歯歯車２２（の外ピン４０）に対する外歯歯車２０の噛合位置が順次ずれてゆく現象が発生する。
【００２４】
外歯歯車２０の歯数は、内歯歯車２２の歯数よりも１だけ少ないため、外歯歯車２０は、入力軸２６が１回回転するごとに、１歯分だけ内歯歯車２２に対して位相がずれる（自転する）ことになる。この自転成分が、内ローラ４８および内ピン４６を介してフランジ体５２に伝達され、該フランジ体５２と一体化されている出力軸５０が回転する。出力軸５０の回転速度は、入力軸２６の回転速度の１／（外歯歯車の歯数）となる。なお、外歯歯車２０の揺動成分は、内ローラ４８と外歯歯車２０の貫通孔４４との間に確保された隙間によって吸収される。
【００２５】
この減速作用の実現に当たり、内ピン４６（および内ローラ４８）は、外歯歯車２０の貫通孔４４を貫通することにより外歯歯車２０の自転と同期し、外歯歯車２０の自転成分を取り出す機能を果たしている。すなわち、内ピン４６（および内ローラ４８）は、常に外歯歯車２０の貫通孔４４と摺動しながら外歯歯車２０の自転成分に相当するトルクを外歯歯車２０側から受け、入力軸２６の軸心Ｃ２６の周りを「公転」する態様で、当該外歯歯車２０の自転をフランジ体５２に伝達する。したがって、内ピン４６と内ローラ４８との摺動、あるいは内ローラ４８と外歯歯車２０の貫通孔４４との摺動等を円滑に行うためには、内ピン４６は、入力軸２６の軸心Ｃ２６との平行度が正確に維持された状態でフランジ体５２に精度よく圧入されていなければならない。
【００２６】
しかしながら、従来、内ピン４６をフランジ体５２に圧入したときに、例えば、該内ピン４６が若干傾いた状態で圧入されてしまったりすることがあるという問題があった。
【００２７】
この問題に関しては、従来、その原因が深く吟味されたことはなかった。しかし、発明者らがこの原因について、詳細に吟味・試験を行った結果、内ピン４６の面取り部４６Ｂや圧入穴５２Ａの粗さが深く関係していることが確認できた。
【００２８】
この知見は、公知の知見ではないため、ここで詳細に説明する。なお、便宜上、従来の構造には、下２桁が同一の１００番台の符号を用いる。
【００２９】
図４に示されるように、従来、内ピン１４６には、フランジ体１５２の圧入穴（被圧入面）１５２Ａへの圧入を容易にするために、先端に面取り部１４６Ｂが形成されている。この面取り部１４６Ｂは、旋盤によって内ピン１４６を粗加工するときに一緒に形成され、特に仕上げ加工は行われていなかった。つまり、内ピン１４６の圧入部（圧入面）１４６Ａを研削によって仕上げ加工するときには、仕上げ外径が異なることもあって、面取り部１４６Ｂに仕上げ加工がなされることはなかった。これは、「仕上げ加工をした方がいいが、コスト的にやらない」というものではなく、従来は、面取り部１４６Ｂが圧入結合における圧入の精度の確保に何らかの影響を及ぼしているという見識がそもそもなかったためである。
【００３０】
しかし、内ピン１４６を圧入するために、面取り部１４６Ｂを圧入穴１５２Ａの軸方向の端部１５２Ｅ１、１５２Ｅ２に当接させる場合、必ずしも圧入穴１５２Ａの軸心Ｃ１５２Ａと内ピン１４６の軸心Ｃ１４６が一致した状態で当接できるわけではない。むしろ、多くの場合、内ピン１４６の実際の軸心Ｃ１４６ｒと圧入穴１５２Ａの軸心Ｃ１５２Ａとの間に、ずれδ（Ｃ１５２Ａ−Ｃ１４６ｒ）が生じている。加えて、内ピン１４６の実際の軸心Ｃ１４６ｒが、圧入穴１５２Ａの軸心Ｃ１５２Ａに対してθだけ傾いていることもある。
【００３１】
これは、図４の圧入例で言うならば、結局、圧入穴１５２Ａに対して、面取り部１４６Ｂの上側に「δ１の締め代」、下側にδ１よりも大きな「δ２の締め代」がある「斜めでかつずれた状態」で圧入が開始されることを意味している。
【００３２】
しかるに、従来は、圧入穴１５２Ａの粗さがそれほど小さいわけではない上に、面取り部１４６Ｂの粗さがそれよりもさらに大きい（粗い）表面状態となっていた。そのため、圧入穴１５２Ａの凹凸と、面取り部１４６Ｂのさらに粗い凹凸が干渉して、互いに「かじり合う」状態が形成されていたと考えられる。
【００３３】
一方、偏心揺動型の減速装置Ｇ１のフランジ体１５２と内ピン１４６の圧入結合にあっては、構造上、内ピン１４６の軸方向長さＬ１４６に対して圧入穴１５２Ａの軸方向長さＬ１５２Ａを大きく取る設計をするのは至難である。つまり、内ピン１４６の軸方向の圧入代が短い。
【００３４】
その結果、これらの要因の相乗により、内ピン１４６の実際の軸心Ｃ１４６ｒが傾いた状態のまま圧入が開始され、圧入直後に、内ピン１４６の面取り部１４６Ｂの後端部１４６Ｂ１、１４６Ｂ２（図４の例では、特に下側の後端部１４６Ｂ２）が一部塑性変形されてしまい、かつその修正がし切れないうちに圧入が完了してしまったのではないかと推察される。
【００３５】
そこで、本実施形態に係る偏心揺動型の減速装置Ｇ１では、内ピン（ピン部材）４６とフランジ体５２との圧入構造に関し、以下のような構成を採用している。なお、本実施形態に係る内ピン４６とフランジ体５２との圧入構造は、その製造方法と不離一体であり、また作用効果とも不離一体であるため、以降は、これらを適宜同時に説明する。
【００３６】
この偏心揺動型の減速装置Ｇ１では、内ピン４６を次のようにして製造している。
【００３７】
内ピン４６は、フランジ体５２の圧入穴５２Ａに圧入される圧入部４６Ａと、該圧入部４６Ａの先端に形成された面取り部４６Ｂとを有している。図３を参照して、先ず、（Ａ）に示されるように、内ピン４６の素材を旋盤によって粗加工し、圧入部（圧入面）４６Ａおよび面取り部４６Ｂを形成する。従来と同様に、面取り部４６Ｂの一部は、フランジ体５２の圧入穴５２Ａに対して締め代を有している（圧入穴５２Ａの内径より面取り部４６Ｂの一部（後端部４６Ｂ１、４６Ｂ２）の外径の方が大きい）。この段階では、面取り部４６Ｂは、従来と同様の粗さを有し、圧入部４６Ａおよび面取り部４６Ｂとも、フランジ体５２の圧入穴５２Ａの粗さよりも粗さが大きい。
【００３８】
その後、図３（Ｂ）に示されるように、内ピン４６の圧入部４６Ａおよび面取り部４６Ｂの両方に、「遊離砥粒加工」を施す（遊離砥粒加工工程）。
【００３９】
遊離砥粒加工を施す１つの理由は、「面取り部４６Ｂの粗さが、圧入穴５２Ａの粗さよりも小さい」という特性を得るためである、これにより、内ピン４６の面取り部４６Ｂの表面が、圧入の際に圧入穴５２Ａの凹凸と干渉するのを抑制することができることから、面取り部４６Ｂにおいてより円滑な圧入ガイドを実現することできる。この結果、内ピン４６の軸方向長さＬ４６に対して圧入穴５２Ａの軸方向長さＬ５２Ａが短い構造でありながら、圧入精度をより向上させることができる（より軸心の傾きの小さな圧入を行うことができる）。
【００４０】
遊離砥粒加工を施すもう１つの理由は、面取り部４６Ｂの「圧入のガイド面」として、方向性のない加工痕（表面）を得るためである。ここで、方向性のある加工痕とは、ある一定の規則性のある加工痕が繰り返し現れる状態を言う。例えば、リング状の加工痕が繰り返し現れたり、らせん状の加工痕が軸方向に連続して現れる（途中で途切れていてもよい）状態を言う。遊離砥粒加工は、スラリーと称される遊離砥粒（砥粒をボンドで固定せずに、液体に混ぜたもの）を用いるもので、均一で「方向性のない表面」を形成することができる。ラッピング、ポリシング、バフ研磨、噴射加工（ショットブラスト）、超音波加工、バレル研磨加工等が知られている。
【００４１】
なお、本実施形態においては、遊離砥粒加工として、具体的には、バレル研磨による加工法を採用している。バレル研磨とは、バレル漕中に砥粒、コンパウンド、水、および加工物を入れ、回転、振動などにより内ピンと砥粒に相対運動を生じさせる加工である。バレル研磨は、多量の内ピン４６を一回の処理で仕上げることができ、面取り部４６Ｂを含めた内ピン４６の実際の形状に倣った仕上げが可能である。また、内ピン４６の表面（圧入部４６Ａおよび面取り部４６Ｂ）に方向性のない（薄い硬化層からなる）加工痕を形成することができる。つまり、バレル研磨を施すことにより、特に面取り部４６Ｂに対して、フランジ体５２の圧入穴５２Ａの粗さよりも粗さが小さく、かつ、圧入穴５２Ａの凹凸と干渉しにくい（方向性がない加工痕を有する）表面を得ることができる。
【００４２】
ただし、バレル研磨加工を含め、遊離砥粒加工によって形成される表面は、方向性がないという大きな特徴があるが、この「方向性がない」という特徴は、面取り部４６Ｂの表面としては、有益であるものの、圧入部４６Ａの特性としては、必ずしも有益とは言えない面があることも合わせて確認されている。その理由としては、圧入部の表面としては、「粗さ」が、なお、大きいことのほかに、加工後の表面に加工痕の方向性がないことが掲げられる。圧入部４６Ａに関しては、圧入の保持性（内ピン４６が圧入穴５２Ａに対して、軸方向あるいは周方向に動いたり、抜けたりしない特性）を確保するために、むしろ方向性のある加工痕が残存する加工が求められる。
【００４３】
そのため、本実施形態では、図３（Ｃ）に示されるように、遊離砥粒加工であるバレル研磨加工の後に、圧入部４６Ａに研削加工を施す工程（研削加工工程）を、追加するようにしている。研削加工は、軸とほぼ直角のリング状あるいは螺旋状の（方向性のある）加工痕を残存させることができ、かつ粗さはバレル研磨加工よりも小さい。これにより、「圧入部４６Ａの粗さが、面取り部４６Ｂの粗さよりも小さい」という特性、「圧入部４６Ａには、方向性のある加工痕が形成される」という特性、および、「面取り部４６Ｂには、方向性のある加工痕が形成されない」という特性を、全て得ることができ、一層精度が高く、かつ圧入の保持性の高い圧入結合を行うことができる。
【００４４】
なお、圧入部に対して行う「方向性があり、かつ面取り部の粗さより小さい粗さを有する加工痕を残存させる加工」としては、例えば、研削加工のほかに、ほぼ軸と直角の螺旋状の（方向性のある）加工痕が残存するエメリーペーパー仕上げ加工、送りを掛けないため軸と直角のリング状の加工痕が残存するグラインダ仕上げ加工、あるいは、綾目のような（Ｘ状の）加工痕、つまり２つの交差する方向性のある加工痕が残存するスーパー仕上げ加工等を採用することができる。いずれも、より高い圧入の精度を確保した上で、さらに良好な圧入の保持性を長期に亘って確保することができる。
【００４５】
なお、この種の偏心揺動型の減速装置は、外歯歯車の自転を拘束し、内歯歯車（ケーシング）の側から出力を取り出すこともできる（枠回転型の偏心揺動型の減速装置）。この場合、ピン部材（上記例の内ピン）は、外歯歯車の貫通孔を貫通することにより、外歯歯車の自転と同期し、該外歯歯車の自転を拘束する機能を果たすことになる。この場合も、ピン部材には高い圧入精度が求められるため、本発明を有効に適用することができる。
【産業上の利用可能性】
【００４６】
本発明は、偏心揺動型の減速装置に対して適用可能である。
【符号の説明】
【００４７】
Ｇ１…減速装置
２０…外歯歯車
２２…内歯歯車
４６…内ピン（ピン部材）
４６Ａ…圧入部
４６Ｂ…面取り部
５２…フランジ体
５２Ａ…圧入穴
【図１】
2015197157.tif 000003
【図２】
2015197157.tif 000004
【図３】
2015197157.tif 000005
【図４】
2015197157.tif 000006